(57)【要約】      （修正有）【課題】所望の支持角度や支持長さを極めて容易に且つ確実に調整することができる玩具支持台を提供する。【解決手段】支持台座にアーム部を立設して玩具を支持状態で飾る。アーム部が、支持台座に形成されたアーム部用穿孔に、基軸部を嵌合取付けすることで立設する支柱部と、支柱部の側面に着脱可能に且つ重合位置を変更可能に重合取付けされる腕部と、腕部の先端に取り付けられ、玩具を展示状態を保持する保持部と、を有する。支柱部は、その側面の上部に腕部が取り付けられる腕部固定用突起と、側面の上半部から下部にかけて支柱部の長手方向に沿って形成された腕部重合用凸条と、を有し、腕部は、腕部固定用突起が嵌合する透孔又は非貫通孔から成る２つ以上の被固定用孔部と、支柱部との重合面側の側面の下端から上部にかけて腕部の長手方向に沿って形成されて腕部重合用凸条が嵌合乃至は入り込む被固定用凹条と、を有する。【選択図】図１
0003168381.tif 000002
【実用新案登録請求の範囲】
【請求項１】
支持台座にアーム部を立設して玩具を支持状態で飾る玩具支持台において、
前記アーム部が、
前記支持台座の表面の任意の位置に１つ又は２つ以上形成されたアーム部用穿孔に、基軸部を嵌合取付けすることで立設する支柱部と、
該支柱部の側面に着脱可能に且つ重合位置を変更可能に重合取付けされる腕部と、
該腕部の先端に取り付けられ、前記玩具を直接又は間接的に握持・抱持・挟持・止着の如き手段で支持することで展示状態を保持する保持部と、
を有して成り、
前記支柱部は、その側面の上部に前記腕部が取り付けられる腕部固定用突起と、側面の上半部から下部にかけて前記支柱部の長手方向に沿って形成された腕部重合用凸条と、を有し、
前記腕部は、前記腕部固定用突起が嵌合する透孔又は非貫通孔から成る２つ以上の被固定用孔部と、前記支柱部との重合面側の側面の下端から上部にかけて該腕部の長手方向に沿って形成されて前記腕部重合用凸条が嵌合乃至は入り込む被固定用凹条と、を有すること、
を特徴とする玩具支持台。
【請求項２】
前記腕部固定用突起の外形と被固定用孔部の内形とが、異なる角度で嵌合可能な多角形で形成された構成であることを特徴とする請求項１に記載の玩具支持台。
【請求項３】
前記腕部が、長さの異なる複数種類が用意され、支持する玩具のサイズや支持位置・支持高さに応じて、最適長さのものを選択して用いることが可能な構成であることを特徴とする請求項１又は２に記載の玩具支持台。
【請求項４】
前記保持部が、握持サイズ・抱持サイズの異なる複数種類が用意され、支持する玩具のサイズや支持位置の形状・大きさに応じて、最適サイズのものを選択して用いることが可能な構成であることを特徴とする請求項１〜３のいずれかに記載の玩具支持台。
【請求項５】
前記腕部と前記保持部とが角度変更可能なジョイント部材によって連結取り付けされる構成であることを特徴とする請求項１〜４のいずれかに記載の玩具支持台。
【考案の詳細な説明】
【技術分野】
【０００１】
本考案は玩具支持台に関し、詳しくは人形・動物・乗り物類等の玩具を支持状態で飾るための玩具支持台に関する。
【背景技術】
【０００２】
支持台座にアーム部を立設して人形等の玩具を飾る玩具支持台がこれまで多種多様に提案されている（例えば、特許文献１、２等参照）。
【０００３】
特許文献１、２に記載の技術は、２本構成又は３本構成から成る支持アームの連結部分にジョイント部材を配設することで支持角度や支持長さを変更することができるものである。
【０００４】
しかし特許文献１、２に記載の技術では、ジョイント部材による支持角度や支持長さの変更を該ジョイント部材に螺合状態で取り付けられている螺子部材の緊締具合の調整によって行うため、微妙な角度や長さの調整は可能ではあるが、かかる調整は２本又は３本の各アーム部材を所望の角度や長さ位置で固定するように手指で押さえたり持ちながら行う必要がある。従って、所望の支持角度や支持長さに設定することが容易ではないという問題点を有している。
【先行技術文献】
【特許文献】
【０００５】
【特許文献１】特開２００３−３３４１２８号
【特許文献２】特開２００２−１７７１０７号
【考案の概要】
【考案が解決しようとする課題】
【０００６】
そこで本考案の課題は、所望の支持角度や支持長さを極めて容易に且つ確実に調整することができる玩具支持台を提供することにある。
【課題を解決するための手段】
【０００７】
上記課題を解決する本考案は下記構成を有する。
【０００８】
１．支持台座にアーム部を立設して玩具を支持状態で飾る玩具支持台において、
前記アーム部が、
前記支持台座の表面の任意の位置に１つ又は２つ以上形成されたアーム部用穿孔に、基軸部を嵌合取付けすることで立設する支柱部と、
該支柱部の側面に着脱可能に且つ重合位置を変更可能に重合取付けされる腕部と、
該腕部の先端に取り付けられ、前記玩具を直接又は間接的に握持・抱持・挟持・止着の如き手段で支持することで展示状態を保持する保持部と、
を有して成り、
前記支柱部は、その側面の上部に前記腕部が取り付けられる腕部固定用突起と、側面の上半部から下部にかけて前記支柱部の長手方向に沿って形成された腕部重合用凸条と、を有し、
前記腕部は、前記腕部固定用突起が嵌合する透孔又は非貫通孔から成る２つ以上の被固定用孔部と、前記支柱部との重合面側の側面の下端から上部にかけて該腕部の長手方向に沿って形成されて前記腕部重合用凸条が嵌合乃至は入り込む被固定用凹条と、を有すること、
を特徴とする玩具支持台。 
【０００９】
２．前記腕部固定用突起の外形と被固定用孔部の内形とが、異なる角度で嵌合可能な多角形で形成された構成であることを特徴とする上記１に記載の玩具支持台。
【００１０】
３．前記腕部が、長さの異なる複数種類が用意され、支持する玩具のサイズや支持位置・支持高さに応じて、最適長さのものを選択して用いることが可能な構成であることを特徴とする上記１又は２に記載の玩具支持台。
【００１１】
４．前記保持部が、握持サイズ・抱持サイズの異なる複数種類が用意され、支持する玩具のサイズや支持位置の形状・大きさに応じて、最適サイズのものを選択して用いることが可能な構成であることを特徴とする上記１〜３のいずれかに記載の玩具支持台。
【００１２】
５．前記腕部と前記保持部とが角度変更可能なジョイント部材によって連結取り付けされる構成であることを特徴とする上記１〜４のいずれかに記載の玩具支持台。
【考案の効果】
【００１３】
請求項１に示す考案によれば、所望の支持角度や支持長さを極めて容易に且つ確実に調整することができる玩具支持台を提供することができる。
【００１４】
特に、支柱部への腕部の重合取付が、該支柱部の腕部固定用突起に、腕部に設けられた２つ以上の被固定用孔部の任意の１つを嵌合させることで、支柱部に対する腕部の重合取付け位置を変えることができ、この重合取付け位置によって、支柱部と腕部とから成るアーム部の支持長さを容易に変更することができる。
【００１５】
また、支柱部に腕部を取付ける際に、支持長さを変更することができるだけでなく、支柱部に対する腕部の重合取付け向きを変えることで、支柱部に対する腕部の取付け角度を変えることができ、この取付け角度によって支柱部と腕部とから成るアーム部の曲がり具合（支持角度）を容易に変更することができる。
【００１６】
更に、支柱部に腕部を重合取付けた際に、支柱部の側面に形成されている腕部重合用凸条に腕部の側面に形成されている被固定用凹条が嵌合乃至は入り込む構成により、この部分での嵌合乃至は入り込みが、腕部固定用突起と被固定用孔部との一箇所での嵌合に加わることになるので、支柱部に対する腕部の重合取付けがより補強されることになる。従って、重合取付け時の重合ズレやガタ付きを抑制することができる。
【００１７】
請求項２に示す考案によれば、多角形の角毎に角度を変更することができる。
【００１８】
請求項３に示す考案によれば、長さの異なる複数種類の腕部の中から任意の１つを用い、更に支柱部への取付け角度を変えることで、様々な支持状態を安定且つ確実に容易に得ることができる。
【００１９】
請求項４に示す考案によれば、保持部によって支持する部分が様々な大きさであっても、適応する保持部を選択して用いることで対応することができ、玩具の安定且つ確実な支持を容易に得ることができる。
【００２０】
請求項５に示す考案によれば、腕部に対する保持部の取付け向きを容易に変更することができるので、様々な支持状態により細かに対応することが可能となる。
【図面の簡単な説明】
【００２１】
【図１】本考案に係る玩具支持台の一実施例を示す拡散分解正面図
【図２】図１の玩具支持台の組立後を示す６面図（正面図、背面図、左側面図、右側面図、平面図、底面図）
【図３】支柱部の一実施例を示す７面図（正面図、平面図、底面図、左側面図、右側面図、背面図、Ａ−Ａ線端面図）
【図４】腕部の一実施例を示す７面図（正面図、平面図、底面図、左側面図、右側面図、背面図、Ｂ−Ｂ線端面図、Ｃ−Ｃ線断面図）
【図５】支柱部の腕部重合用凸条と腕部の被固定用凹条との嵌合乃至は入り込み状態を説明する端面図（図２のＶ−Ｖ線端面図）
【図６】支柱部と腕部の重合取付の他の実施例を示す２面図（左側面図、正面図）
【図７】支柱部と腕部の重合取付の他の実施例を示す正面図
【図８】支柱部と短尺構成の腕部の重合取付の実施例を示す正面図
【図９】複数種類の腕部のセット構成の一例を示す正面図
【図１０】複数種類の保持部のセット構成の一例を示す平面図
【考案を実施するための形態】
【００２２】
次に、添付の図面に従って本考案を説明する。
【００２３】
本考案に係る玩具支持台は、人形・動物・乗り物類等の玩具を支持状態で飾るための玩具支持台であり、
図１及び図２、並びに図３〜図５に示すように、支持台座２にアーム部３を立設して玩具（図示は省略する。）を支持状態で飾る玩具支持台１において、
前記アーム部３が、
前記支持台座２の表面の任意の位置に１つ又は２つ以上（本実施例では１３個）形成されたアーム部用穿孔２１に、基軸部４１を嵌合取付けすることで立設する支柱部４と、
該支柱部４の側面に着脱可能に且つ重合位置を変更可能に重合取付けされる腕部５と、
該腕部５の先端に取り付けられ、前記玩具を直接又は間接的に握持・抱持・挟持・止着の如き手段で支持することで展示状態を保持する保持部６と、
を有して成り、
前記支柱部４は、その側面の上部に前記腕部５が取り付けられる腕部固定用突起４２と、側面の上半部から下部にかけて前記支柱部４の長手方向に沿って形成された腕部重合用凸条４３と、を有し、
前記腕部５は、前記腕部固定用突起４２が嵌合する透孔又は非貫通孔（本実施例では透孔）から成る２つ以上（本実施例では９個）の被固定用孔部５１と、前記支柱部４との重合面側の側面の下端から上部にかけて該腕部５の長手方向に沿って形成されて前記腕部重合用凸条４３が嵌合乃至は入り込む被固定用凹条５２と、を有するものである。
【００２４】
以下、各構成について更に詳説する。
【００２５】
支持台座２は、種々の玩具を直接又は間接的に載置したり、或いは該支持台座２の上方空間上に浮遊支持した状態で飾る為のベースとなるものであり、この種の玩具の飾り台としての支持台座として玩具を支持するアーム部が立設される構成のものであれば公知公用のものを特別の制限なく用いることができる。
【００２６】
本実施例では、支持台座２として６角形状を有し、その中央から６方向に計１３個のアーム部用穿孔２１が設けられていると共に、複数の支持台座２同士を連結することができるように外周部に連結用の連結部２２及び被連結部２３が形成されている。
【００２７】
図３に示す構成を有する支柱部４と、図４に示す構成を有する腕部５は、前述したように腕部固定用突起４２と被固定用孔部５１とが嵌合することで連結され、この連結によって支柱部４と腕部５とが重合状態で接続してアーム部３を構成するものである。腕部固定用突起４２の外形と被固定用孔部５１の内形とは嵌合することで連結するように対応する略同形状となっているが、支柱部４に対して腕部５を様々な角度で重合取付けできるように、異なる角度で嵌合可能な多角形であることが好ましく、正多角形（本実施例では正６角形）であることがより好ましい。
【００２８】
支柱部４と腕部５との重合量としては、図２に示す態様が最も重合量の多く、腕部固定用突起４２に対して腕部５の最上部の被固定用孔部５１が嵌合した状態となっている。このとき、腕部５の最下端部が支柱部４の腕部下端合致部４４に合致することで、最上部の被固定用孔部５１から最も遠い部分である腕部５の最下端部の支柱部４との重合部分が安定保持されることになる。腕部５の最下端部と腕部下端合致部４４の合致形状は、本実施例の台形状に限定されず、半円形や凹凸形やジグザグ形や波形等、合致した際に安定する形状であればよい。
【００２９】
更に、支柱部４と腕部５は、重合した際に互いに重合面同士となる側面部分に設けられている腕部重合用凸条４３と被固定用凹条５２とが図５に示すように嵌合乃至は入り込むことで、この部分での嵌合乃至は入り込みが、腕部固定用突起４２と被固定用孔部５１との嵌合に加わることになるので、支柱部４に対する腕部５の重合取付けがより補強されることになる。従って、重合取付け時の重合ズレやガタ付きを著しく抑制することができる。
【００３０】
また、支持部４と腕部５との重合は、腕部５に２つ以上設けられている被固定用孔部５１の中から任意の１つを選択して腕部固定用突起４２と嵌合することで支柱部４に対する腕部５の重合取付け位置を変えることができ、この重合取付け位置によって、支柱部４と腕部５とから成るアーム部３の支持長さを変更することができる。例えば、図６に示す実施例では、９個設けられている被固定用孔部５１の中の上から５番目に腕部固定用突起４２を嵌合している。
【００３１】
図６に示す実施例のように、支柱部４と腕部５とを重合した際に、腕部５の最下端が支柱部４の腕部下端合致部４４に合致しない態様の場合、即ち、複数の被固定用孔部５１の中で最上部の１つを除く他の被固定用孔部５１のいずれかに腕部固定用突起４２を嵌合する態様の場合であっても、前述したように、支柱部４と腕部５とは、腕部固定用突起４２と被固定用孔部５１との嵌合に加えて、腕部重合用凸条４３と被固定用凹条５２との嵌合乃至は入り込みによって重合取付けがより補強されることになる。従って、支柱部４と腕部５との重合取付け位置を変えてアーム部３の支持長さを長くした場合であっても、重合取付け時の重合ズレやガタ付きを抑制することができる。
【００３２】
更に、支柱部４と腕部５との重合取付けは、上記した実施例のようにアーム部５の支持長さを変更することができるだけでなく、図７に示すように、支柱部４に対する腕部５の重合取付け向きを変えることで、支柱部４に対する腕部５の取付け角度を変えることができ、この取付け角度によって、支柱部４と腕部５とから成るアーム部３の曲がり具合（支持角度）を変更することができる。
【００３３】
更にまた、図７に示すように、支柱部４に対する腕部５の重合取付け角度を変えた態様の場合、支柱部４の上方から腕部５の後端が飛び出す構成となることにより狭い展示スペースでは腕部５の後端が邪魔になったり、場合によっては展示自体が不可能になってしまう場合が考えられるが、この場合には、図８に示すように、別パーツとして長さの短い腕部５を用意し、この長さの短い腕部５を用いることで支柱部４の上方から腕部５の後端の飛び出しを無くす（或いは減じる）ことができる。
【００３４】
保持部６は、例えば、本実施例に示すよう、玩具の腰（人形玩具の場合）や胴体（人形・動物玩具や乗り物玩具の場合等）を握持又は抱持する２本の指状部材から成る保持アーム部６１・６２と、該２本の指状部材である保持アーム部６１・６２の重合する付け根部を回動可能に軸固定するボルト・ナット部６３と、を有し、ジョイント部材７（後述）を介して腕部５に角度変更可能に連結される。ジョイント部材７との連結は、該ジョイント部材７の保持部圧入部７３をジョイント部材被圧入部６４に圧入することで行われる。
【００３５】
ジョイント部材７は、前記腕部５と前記保持部６とを角度変更可能に連結取付けするための接続部品であり、回動軸部として機能するボルト・ナット部７１を回動軸として保持部６を腕部５に対して任意の角度に変更することができる。該ジョイント部材７の腕部５との連結は、腕部５に形成されたジョイント部材被圧入部５３に腕部圧入部７２を圧入することで行われる。
【００３６】
以上詳説した本考案の玩具支持台１の各構成（支持台座２、アーム部３（支柱部４、腕部５）、保持部６、ジョイント部材７）の材質としては、この種の玩具支持台に用いられる材質として公知公用のもの、例えば、各種合成樹脂（例えば、ウレタン樹脂、アクリル樹脂、ＡＢＳ樹脂、ナイロン樹脂、ポリカーボネート樹脂、ポリプロピレン樹脂、スチロール樹脂、ポリ塩化ビニル樹脂、ポリスチレン樹脂、ＦＲＰ樹脂等）、金属（例えば、アルミニウム、ステンレス等）、木（例えば、紫檀、黒檀等）、合成又は天然ゴム、セラミック等を特別の制限なく用いることができ、好ましくは各種合成樹脂である。
【００３７】
以上、本考案に係る玩具支持台の一実施例について説明したが、本考案は上記実施例に限定されず、本考案の範囲内において種々の他の態様を採ることもできる。
【００３８】
例えば、腕部５として図９に示すように長さの異なる複数種類を用意し、支持する玩具のサイズや支持位置・支持高さに応じて、最適長さのものを選択して用いるようにすることもできる。尚、この場合、玩具支持台の販売に際して複数種類の腕部５を１つのセットとして同梱して販売してもよいし、オプションパーツとして別売してもよい。
【００３９】
また、保持部６についても図１０に示すように握持サイズ・抱持サイズの異なる複数種類を用意し、支持する玩具のサイズや支持位置の形状・大きさに応じて、最適サイズのものを選択して用いるようにすることもできる。尚、この場合についても、玩具支持台の販売に際して複数種類の保持部６を１つのセットとして同梱して販売してもよいし、オプションパーツとして別売してもよい。尚また、図１０において符号８は、保持部６のボルト・ナット部６４やジョイント部材７の回動軸部７１のボルト・ナットの螺合緊締に用いるスパナ部材である。
【００４０】
更に、保持部６については本実施例の握持・抱持に限定されず、挟持する手段や、刺し込み・挿し込みや固着・融着・接着等の止着手段であってもよく、この種の玩具支持台における玩具の支持手段として公知公用の手段を特別の制限なく採用することができる。
【００４１】
また、上記実施例では支持台座２の形状を６角形としたが、本考案はかかる形状に限定されず、楕円形・真円形等の円形、３角形、４角形、５角形、８角形等の他の多角形、その他の定形、雲形その他の非定形の形状とすることもできる。
【００４２】
また、支柱部４の腕部固定用突起４２や腕部５の被固定用孔部５１の形状についても上記実施例では正６角形としたが、本考案は支柱部４に対して腕部５を任意の角度で重合取り付けできる形状であればよく、正６角形以外の正多角形（例えば、正３角形、正４角形、正５角形、正８角形等）であってもよいし、円形であってもよい。
【００４３】
また、上記実施例では、１つの支持台座２を用いているが、本考案はこれに限定されず、前記した連結部２２・被連結部２３を用いて複数個の支持台座２を連結接続することもできる。複数の支持台座２の連結接続は、支持する玩具の種類・大きさ・数やコレクションケース等の展示スペースの状況や使用者の嗜好等の各種条件に応じて種々選択することが可能である。
【００４４】
更に、上記実施例では、１つの支持台座２に１つのアーム部３（支柱部４と腕部５とを１つずつ）としていたが、本考案はこれに限定されず、２つ以上のアーム部３を立設してもよい。複数本のアーム部３の立設は、飾る玩具の大きさや形状・数、コレクションケース等の展示スペースの状況や使用者の嗜好等の各種条件に応じて種々選択することが可能である。
【符号の説明】
【００４５】
１  玩具支持台
２  支持台座
２１  アーム部用穿孔
２２  連結部
２３  被連結部
３  アーム部
４  支柱部
４１  基軸部
４２  腕部固定用突起
４３  腕部重合用凸条
４４  腕部下端合致部
５  腕部
５１  被固定用孔部
５２  被固定用凹条
５３  ジョイント部材被圧入部
６  保持部
６１・６２  保持アーム
６３  ボルト・ナット部
６４  ジョイント部材被圧入部
７  ジョイント部材
７１  回動軸部
７２  腕部圧入部
７３  保持部圧入部
８  スパナ部材 
【図１】
0003168381.tif 000003
【図２】
0003168381.tif 000004
【図３】
0003168381.tif 000005
【図４】
0003168381.tif 000006
【図５】
0003168381.tif 000007
【図６】
0003168381.tif 000008
【図７】
0003168381.tif 000009
【図８】
0003168381.tif 000010
【図９】
0003168381.tif 000011
【図１０】
0003168381.tif 000012